(57)【要約】【課題】  キオスク端末を用いることなく、無線端末からコンテンツを利用することができるコンテンツ配信システム、その方法、会計装置、コンテンツ配信装置およびプログラムを提供する。【解決手段】  無線端末１０は、コンテンツサーバ３０にコンテンツの購入要求を発行する。無線端末１０は、購入要求に応じてコンテンツサーバ３０から受信したコンテンツの支払データに基づいて、コンテンツの支払情報を受け付け、支払データをコンテンツサーバ３０に送信する。コンテンツサーバ３０は、アクセスポイント２０を経由して無線端末１０にコンテンツを送信する。【選択図】  図１
2006085353.tif 000002
【特許請求の範囲】
【請求項１】
無線端末と、その無線端末のアクセスポイントと、そのアクセスポイントとネットワークを介して接続されているコンテンツを配信する装置を含むコンテンツ配信システムであって、
前記無線端末は、
前記装置に対してコンテンツの購入要求を発行する購入要求手段と、
前記装置からコンテンツを受信するコンテンツ受信手段と、
受信したコンテンツの支払データに基づいて、コンテンツの支払情報を受け付ける支払情報受付手段と、
前記支払データを前記装置に送信する支払データ送信手段と、を備え、
前記装置は、
購入要求に応じて前記無線端末に対して、コンテンツの支払データを送信する支払データ送信手段と、
支払データを受信する支払データ受信手段と、
前記無線端末にコンテンツを送信するコンテンツ送信手段と、を備え、
前記無線端末から、前記購入要求と前記支払いデータが前記装置に到着すると、コンテンツの送信が行われることを特徴とするコンテンツ配信システム。
【請求項２】
無線端末と、その無線端末のアクセスポイントと、そのアクセスポイントとネットワークを介して接続されているコンテンツを配信する装置を含むコンテンツ配信システムであって、
前記無線端末は、
前記装置に対してコンテンツの購入要求を発行する購入要求手段と、
前記装置からコンテンツを受信するコンテンツ受信手段と、
支払い済みを証明する支払データを入力する支払情報入力手段と、
前記支払データを前記装置に送信する支払データ送信手段と、を備え、
前記装置は、
購入要求に応じて前記無線端末に対して、コンテンツの支払データを送信する支払データ送信手段と、
前記支払データを受信する支払データ受信手段と、
前記無線端末にコンテンツを送信するコンテンツ送信手段と、を備え、
前記無線端末から、前記購入要求と前記支払いデータが前記装置に到着すると、コンテンツの送信が行われることを特徴とするコンテンツ配信システム。
【請求項３】
無線端末と、その無線端末のアクセスポイントと、そのアクセスポイントとネットワークを介して接続されているコンテンツを配信する装置と、決済装置を含むコンテンツ配信システムであって、
前記無線端末は、
前記装置に対してコンテンツの購入要求を発行する購入要求手段と、
前記装置からコンテンツを受信するコンテンツ受信手段と、
受信したコンテンツの支払データに基づいて、コンテンツの支払情報を受け付ける支払情報受付手段と、
支払データを前記決済装置に送信する支払データ送信手段と、を備え、
前記装置は、
購入要求に応じて前記無線端末に対して、コンテンツの支払データを送信する支払データ送信手段と、
前記決済装置からコンテンツ配信依頼を受信する依頼受信手段と、
前記無線端末にコンテンツを送信するコンテンツ送信手段と、を備え、
前記決済装置は、
前記支払データを受信する支払データ受信手段と、
前記装置にコンテンツ配信を依頼する依頼手段と、を備え、
前記決済装置から、前記コンテンツ配信依頼と前記支払いデータが前記装置に到着すると、コンテンツの送信が行われることを特徴とするコンテンツ配信システム。
【請求項４】
無線端末と、その無線端末のアクセスポイントと、そのアクセスポイントとネットワークを介して接続されているコンテンツを配信する装置と、会計装置を含むコンテンツ配信システムであって、
前記無線端末は、
前記装置に対して購入要求を発行する購入要求手段と、
前記装置からコンテンツを受信するコンテンツ受信手段と、を備え、
前記装置は、
購入要求に応じて前記無線端末および前記会計装置に対して、コンテンツの支払データを送信する支払データ送信手段と、
前記会計装置から支払データを受信する支払データ受信手段と、
前記無線端末にコンテンツを送信するコンテンツ送信手段と、を備え、
前記会計装置は、
受信したコンテンツの支払データに基づいて、コンテンツの支払情報を受け付ける支払情報受付手段と、
前記支払データを前記装置に送信する支払データ送信手段と、を備え、
前記無線端末から、前記購入要求が前記装置に到着し、さらに前記会計装置から、前記支払いデータが前記装置に到着すると、コンテンツの送信が行われることを特徴とするコンテンツ配信システム。
【請求項５】
無線端末と、その無線端末のアクセスポイントと、そのアクセスポイントとネットワークを介して接続されているコンテンツを配信する装置と、会計装置と、決済装置を含むコンテンツ配信システムであって、
前記無線端末は、
前記装置に対してコンテンツの購入要求を発行する購入要求手段と、
前記装置からコンテンツを受信するコンテンツ受信手段と、を備え、
前記装置は、
購入要求に応じて前記無線端末および前記会計装置に対して、コンテンツの支払
データを送信する支払データ送信手段と、
前記決済装置からコンテンツ配信依頼を受信する依頼受信手段と、
前記無線端末にコンテンツを送信するコンテンツ送信手段と、を備え、
前記会計装置は、
受信したコンテンツの支払データに基づいて、コンテンツの支払情報を受け付ける支払情報受付手段と、
前記支払データを前記決済装置に送信する支払データ送信手段と、を備え、
前記決済装置は、
支払データを受信する支払データ受信手段と、
前記装置にコンテンツ配信を依頼する依頼手段と、を備え、
前記無線端末から、前記購入要求が前記装置に到着し、さらに前記会計装置から、前記支払いデータが前記装置に到着すると、コンテンツの送信が行われることを特徴とするコンテンツ配信システム。
【請求項６】
前記装置は、さらに、提供しているコンテンツの一覧を前記無線端末に送信する一覧送信手段を備え、
前記無線端末は、さらに、
前記一覧送信手段で送信されたコンテンツの一覧を受信する一覧受信手段と、
受信した前記コンテンツの一覧を表示する表示手段と、
表示された前記コンテンツの一覧から受信するコンテンツを選択する選択手段と、
を備えることを特徴とする請求項１から５のいずれか１項に記載のコンテンツ配信システム。
【請求項７】
無線端末と、その無線端末のアクセスポイントと、そのアクセスポイントとネットワークを介して接続されているコンテンツを配信する装置を利用したコンテンツ配信方法であって、
前記無線端末は、
前記ネットワークを介して前記装置に接続するステップと、
購入要求手段によって、前記装置に対して選択されたコンテンツの購入要求を発行するステップと、を有し、
前記装置は、
前記購入要求を受け付けるステップと、
支払データ送信手段によって、前記購入要求に応じて前記無線端末に対して、コンテンツの支払データを送信するステップと、を有し、
前記無線端末は、
支払情報受付手段によって、受信したコンテンツの支払データに基づいて、コンテンツの支払情報を受け付けるステップと、
支払データ送信手段によって、支払データを前記装置に送信するステップと、をさらに有し、
前記装置は、
コンテンツ送信手段によって、前記アクセスポイントを経由して、前記無線端末にコンテンツを送信するステップと、をさらに有し、
前記無線端末は、
コンテンツ受信手段によって、前記装置からコンテンツを受信するステップをさらに有することを特徴とするコンテンツ配信方法。
【請求項８】
無線端末と、その無線端末のアクセスポイントと、そのアクセスポイントとネットワークを介して接続されているコンテンツを配信する装置を利用したコンテンツ配信方法であって、
前記無線端末は、
前記ネットワークを介して前記装置に接続するステップと、
購入要求手段によって、前記装置に対して選択されたコンテンツの購入要求を発行するステップと、を有し、
前記装置は、
前記購入要求を受け付けるステップと、
支払データ送信手段によって、前記購入要求に応じて前記無線端末に対して、コンテンツの支払データを送信するステップと、を有し、
前記無線端末は、
支払情報入力手段によって、支払い済みを証明する支払データを入力するステップと、
支払データ送信手段によって、支払データを前記装置に送信するステップと、をさらに有し、
前記装置は、
コンテンツ送信手段によって、前記アクセスポイントを経由して、前記無線端末にコンテンツを送信するステップと、をさらに有し、
前記無線端末は、
コンテンツ受信手段によって、前記装置からコンテンツを受信するステップをさらに有することを特徴とするコンテンツ配信方法。
【請求項９】
無線端末と、その無線端末のアクセスポイントと、そのアクセスポイントとネットワークを介して接続されているコンテンツを配信する装置と、決済装置を利用したコンテンツ配信方法であって、
前記無線端末は、
前記ネットワークを介して前記装置に接続するステップと、
購入要求手段によって、前記装置に対して選択されたコンテンツの購入要求を発行するステップと、を有し、
前記装置は、前記購入要求を受け付けるステップと、
支払データ送信手段によって、前記購入要求に応じて前記無線端末に対して、コンテンツの支払データを送信するステップと、を有し、
前記無線端末は、
支払情報受付手段によって、受信したコンテンツの支払データに基づいて、コンテンツの支払情報を受け付けるステップと、
支払データ送信手段によって、支払データを前記決済装置に送信するステップと、をさらに有し、
前記決済装置は、
支払データ受信手段によって、支払データを受信するステップと、
依頼手段によって、前記装置にコンテンツ配信を依頼するステップと、を有し、
前記装置は、
依頼受信手段によって前記決済装置からコンテンツ配信依頼を受信するステップと、
コンテンツ送信手段によって、前記無線端末にコンテンツを送信するステップと、をさらに有し、
前記無線端末は、
コンテンツ受信手段によって、前記装置からコンテンツを受信するステップをさらに有することを特徴とするコンテンツ配信方法。
【請求項１０】
無線端末と、その無線端末のアクセスポイントと、そのアクセスポイントとネットワークを介して接続されているコンテンツを配信する装置と、会計装置を利用したコンテンツ配信方法であって、
前記無線端末は、
前記ネットワークを介して前記装置に接続するステップと、
購入要求手段によって、前記装置に対して選択されたコンテンツの購入要求を発行するステップと、を有し、
前記装置は、
前記購入要求を受け付けるステップと、
支払データ送信手段によって、前記購入要求に応じて前記無線端末および前記会計装置に対して、コンテンツの支払データを送信するステップと、をさらに有し、
前記会計装置は、
支払情報受付手段によって、受信したコンテンツの支払データに基づいて、コンテンツの支払情報を受け付けるステップと、
支払データ送信手段によって、支払データを前記装置に送信するステップと、を有し、
前記装置は、
支払データ受信手段によって、支払データを受信するステップと、
コンテンツ送信手段によって、前記無線端末にコンテンツを送信するステップと、をさらに有し、
前記無線端末は、
コンテンツ受信手段によって、前記装置からコンテンツを受信するステップをさらに有することを特徴とするコンテンツ配信方法。
【請求項１１】
無線端末と、その無線端末のアクセスポイントと、そのアクセスポイントとネットワークを介して接続されているコンテンツを配信する装置と、会計装置と、決済装置を利用したコンテンツ配信方法であって、
前記無線端末は、
前記ネットワークを介して前記装置に接続するステップと、
購入要求手段によって、前記装置に対して選択されたコンテンツの購入要求を発行するステップと、を有し、
前記装置は、
前記購入要求を受け付けるステップと、
支払データ送信手段によって、前記購入要求に応じて前記無線端末および前記会計装置に対して、コンテンツの支払データを送信するステップを有し、
前記会計装置は、
支払情報受付手段によって、受信したコンテンツの支払データに基づいて、コンテンツの支払情報を受け付けるステップと、
支払データ送信手段によって、支払データを前記決済装置に送信するステップと、を有し、
前記決済装置は、
支払データ受信手段によって、支払データを受信するステップと、
依頼手段によって、前記装置にコンテンツ配信を依頼するステップと、を有し、
前記装置は、
依頼受信手段によって前記決済装置からコンテンツ配信依頼を受信するステップと、
コンテンツ送信手段によって、前記無線端末にコンテンツを送信するステップと、をさらに有し、
前記無線端末は、
コンテンツ受信手段によって、前記装置からコンテンツを受信するステップをさらに有することを特徴とするコンテンツ配信方法。
【請求項１２】
前記装置は、さらに、一覧送信手段によって、提供しているコンテンツの一覧を前記無線端末に送信するステップを有し、
前記無線端末は、さらに、
一覧受信手段によって、前記一覧送信手段で送信されたコンテンツの一覧を受信するステップと、
表示手段によって、受信した前記コンテンツの一覧を表示するステップと、
選択手段によって、表示された前記コンテンツの一覧から受信するコンテンツを選択するステップと、
を有することを特徴とする請求項７から１１のいずれか１項に記載のコンテンツ配信方法。
【請求項１３】
近傍に無線端末のアクセスポイントが設けられる会計装置であって、
前記アクセスポイントは、ネットワークを介してコンテンツを配信する装置と接続され、
前記無線端末において選択されたコンテンツについて発行された購入要求を送信する購入要求送信手段と、
前記装置からコンテンツを受信するコンテンツ受信手段と、を備え、
前記購入要求に応じて前記装置から受信したコンテンツの支払データに基づいて、コンテンツの支払情報を受け付ける支払情報受付手段と、
支払データを決済を行なう前記装置に送信する支払データ送信手段と、
を備えることを特徴とする会計装置。
【請求項１４】
提供しているコンテンツの一覧をネットワークを介して接続されている無線端末のアクセスポイントを介して、コンテンツについて発行された購入要求に応じて前記無線端末に対して、コンテンツの支払データを送信する支払データ送信手段と、
支払い手続き完了後の支払データを受信する支払データ受信手段と、
前記アクセスポイントを経由して、前記無線端末にコンテンツを送信するコンテンツ送信手段と、
を備えることを特徴とするコンテンツ配信装置。
【請求項１５】
コンテンツ配信装置が、ネットワークを介して接続されている無線端末のアクセスポイントを介して、支払データ送信手段によって、コンテンツについて発行された購入要求に応じて前記無線端末に対して、コンテンツの支払データを送信するステップと、
支払データ受信手段によって、支払い手続き完了後の支払データを受信するステップと、
コンテンツ送信手段によって、前記無線端末にコンテンツを送信するステップと、
を実行することを特徴とするプログラム。
【発明の詳細な説明】
【技術分野】
【０００１】
本発明は、キオスク端末を用いることなく、無線端末からコンテンツを利用することができるコンテンツ配信システム、その方法、会計装置、コンテンツ配信装置およびプログラムに関する。
【背景技術】
【０００２】
従来、公共施設、小売店、スーパー、コンビニエンスストア等の民間施設および公共施設では、利用者に対して狭域情報サービスを提供するため、施設内にキオスク情報端末等を設置していた。
【０００３】
ここで、コンテンツサービス提供者が、コンビニエンスストア等の人が集まる施設に課金機能付きの筐体を設置し、ユーザがその筐体に現金を投入してサービス料金を前払いした後、各種の情報配信を受けることができる技術が提案されている（例えば、特許文献１参照）。
【特許文献１】特開２００２−２７９２１２号公報
【発明の開示】
【発明が解決しようとする課題】
【０００４】
しかしながら、上述した従来例においては次のような問題点があった。
【０００５】
キオスク端末等は多くの場所に設置されることによって、利用者にとっては利便性が向上する半面、施設運用業者側にとっては端末代、フロア代、設置費、運用費等のコストがかさむという問題点があった。
【０００６】
そこで、本発明は、キオスク端末を用いることなく、無線端末からコンテンツを利用することができるコンテンツ配信システム、その方法、会計装置、コンテンツ配信装置およびプログラムを提供することを目的とする。
【課題を解決するための手段】
【０００７】
請求項１記載の発明は、無線端末と、その無線端末のアクセスポイントと、そのアクセスポイントとネットワークを介して接続されているコンテンツを配信する装置を含むコンテンツ配信システムであって、無線端末は、装置に対してコンテンツの購入要求を発行する購入要求手段と、装置からコンテンツを受信するコンテンツ受信手段と、受信したコンテンツの支払データに基づいて、コンテンツの支払情報を受け付ける支払情報受付手段と、支払データを装置に送信する支払データ送信手段とを備え、装置は、購入要求に応じて無線端末に対して、コンテンツの支払データを送信する支払データ送信手段と、支払データを受信する支払データ受信手段と、無線端末にコンテンツを送信するコンテンツ送信手段とを備え、無線端末から、購入要求と支払いデータが装置に到着すると、コンテンツの送信が行われることを特徴とするコンテンツ配信システムである。
【０００８】
請求項２記載の発明は、無線端末と、その無線端末のアクセスポイントと、そのアクセスポイントとネットワークを介して接続されているコンテンツを配信する装置を含むコンテンツ配信システムであって、無線端末は、装置に対してコンテンツの購入要求を発行する購入要求手段と、装置からコンテンツを受信するコンテンツ受信手段と、支払い済みを証明する支払データを入力する支払情報入力手段と、支払データを装置に送信する支払データ送信手段とを備え、装置は、購入要求に応じて無線端末に対して、コンテンツの支払データを送信する支払データ送信手段と、支払データを受信する支払データ受信手段と、無線端末にコンテンツを送信するコンテンツ送信手段とを備え、無線端末から、購入要求と支払いデータが装置に到着すると、コンテンツの送信が行われることを特徴とするコンテンツ配信システムである。
【０００９】
請求項３記載の発明は、無線端末と、その無線端末のアクセスポイントと、そのアクセスポイントとネットワークを介して接続されているコンテンツを配信する装置と、決済装置を含むコンテンツ配信システムであって、無線端末は、装置に対してコンテンツの購入要求を発行する購入要求手段と、装置からコンテンツを受信するコンテンツ受信手段と、受信したコンテンツの支払データに基づいて、コンテンツの支払情報を受け付ける支払情報受付手段と、支払データを決済装置に送信する支払データ送信手段とを備え、装置は、購入要求に応じて無線端末に対して、コンテンツの支払データを送信する支払データ送信手段と、決済装置からコンテンツ配信依頼を受信する依頼受信手段と、無線端末にコンテンツを送信するコンテンツ送信手段とを備え、決済装置は、支払データを受信する支払データ受信手段と、装置にコンテンツ配信を依頼する依頼手段とを備え、決済装置から、コンテンツ配信依頼と支払いデータが装置に到着すると、コンテンツの送信が行われることを特徴とするコンテンツ配信システムである。
【００１０】
請求項４記載の発明は、無線端末と、その無線端末のアクセスポイントと、そのアクセスポイントとネットワークを介して接続されているコンテンツを配信する装置と、会計装置を含むコンテンツ配信システムであって、無線端末は、装置に対して購入要求を発行する購入要求手段と、装置からコンテンツを受信するコンテンツ受信手段とを備え、装置は、購入要求に応じて無線端末および会計装置に対して、コンテンツの支払データを送信する支払データ送信手段と、会計装置から支払データを受信する支払データ受信手段と、無線端末にコンテンツを送信するコンテンツ送信手段とを備え、会計装置は、受信したコンテンツの支払データに基づいて、コンテンツの支払情報を受け付ける支払情報受付手段と、支払データを装置に送信する支払データ送信手段とを備え、無線端末から、購入要求が装置に到着し、さらに会計装置から、支払いデータが装置に到着すると、コンテンツの送信が行われることを特徴とするコンテンツ配信システムである。
【００１１】
請求項５記載の発明は、無線端末と、その無線端末のアクセスポイントと、そのアクセスポイントとネットワークを介して接続されているコンテンツを配信する装置と、会計装置と、決済装置を含むコンテンツ配信システムであって、無線端末は、装置に対してコンテンツの購入要求を発行する購入要求手段と、装置からコンテンツを受信するコンテンツ受信手段とを備え、装置は、購入要求に応じて無線端末および会計装置に対して、コンテンツの支払データを送信する支払データ送信手段と、決済装置からコンテンツ配信依頼を受信する依頼受信手段と、無線端末にコンテンツを送信するコンテンツ送信手段とを備え、会計装置は、受信したコンテンツの支払データに基づいて、コンテンツの支払情報を受け付ける支払情報受付手段と、支払データを決済装置に送信する支払データ送信手段とを備え、決済装置は、支払データを受信する支払データ受信手段と、装置にコンテンツ配信を依頼する依頼手段とを備え、無線端末から、購入要求が装置に到着し、さらに会計装置から、支払いデータが装置に到着すると、コンテンツの送信が行われることを特徴とするコンテンツ配信システムである。
【００１２】
請求項６記載の発明は、装置は、さらに、提供しているコンテンツの一覧を無線端末に送信する一覧送信手段を備え、無線端末は、さらに、一覧送信手段で送信されたコンテンツの一覧を受信する一覧受信手段と、受信したコンテンツの一覧を表示する表示手段と、表示されたコンテンツの一覧から受信するコンテンツを選択する選択手段とを備えることを特徴とする請求項１から５のいずれか１項に記載のコンテンツ配信システムである。
【００１３】
請求項７記載の発明は、無線端末と、その無線端末のアクセスポイントと、そのアクセスポイントとネットワークを介して接続されているコンテンツを配信する装置を利用したコンテンツ配信方法であって、無線端末は、ネットワークを介して装置に接続するステップと、購入要求手段によって、装置に対して選択されたコンテンツの購入要求を発行するステップとを有し、装置は、購入要求を受け付けるステップと、支払データ送信手段によって、購入要求に応じて無線端末に対して、コンテンツの支払データを送信するステップとを有し、無線端末は、支払情報受付手段によって、受信したコンテンツの支払データに基づいて、コンテンツの支払情報を受け付けるステップと、支払データ送信手段によって、支払データを装置に送信するステップとをさらに有し、装置は、コンテンツ送信手段によって、アクセスポイントを経由して、無線端末にコンテンツを送信するステップと、をさらに有し、無線端末は、コンテンツ受信手段によって、装置からコンテンツを受信するステップをさらに有することを特徴とするコンテンツ配信方法である。
【００１４】
請求項８記載の発明は、無線端末と、その無線端末のアクセスポイントと、そのアクセスポイントとネットワークを介して接続されているコンテンツを配信する装置を利用したコンテンツ配信方法であって、無線端末は、ネットワークを介して装置に接続するステップと、購入要求手段によって、装置に対して選択されたコンテンツの購入要求を発行するステップとを有し、装置は、購入要求を受け付けるステップと、支払データ送信手段によって、購入要求に応じて無線端末に対して、コンテンツの支払データを送信するステップとを有し、無線端末は、支払情報入力手段によって、支払い済みを証明する支払データを入力するステップと、支払データ送信手段によって、支払データを装置に送信するステップとをさらに有し、装置は、コンテンツ送信手段によって、アクセスポイントを経由して、無線端末にコンテンツを送信するステップとをさらに有し、無線端末は、コンテンツ受信手段によって、装置からコンテンツを受信するステップをさらに有することを特徴とするコンテンツ配信方法である。
【００１５】
請求項９記載の発明は、無線端末と、その無線端末のアクセスポイントと、そのアクセスポイントとネットワークを介して接続されているコンテンツを配信する装置と、決済装置を利用したコンテンツ配信方法であって、無線端末は、ネットワークを介して装置に接続するステップと、購入要求手段によって、装置に対して選択されたコンテンツの購入要求を発行するステップとを有し、装置は、購入要求を受け付けるステップと、支払データ送信手段によって、購入要求に応じて無線端末に対して、コンテンツの支払データを送信するステップとを有し、無線端末は、支払情報受付手段によって、受信したコンテンツの支払データに基づいて、コンテンツの支払情報を受け付けるステップと、支払データ送信手段によって、支払データを決済装置に送信するステップとをさらに有し、決済装置は、支払データ受信手段によって、支払データを受信するステップと、依頼手段によって、装置にコンテンツ配信を依頼するステップとを有し、装置は、依頼受信手段によって決済装置からコンテンツ配信依頼を受信するステップと、コンテンツ送信手段によって、無線端末にコンテンツを送信するステップとをさらに有し、無線端末は、コンテンツ受信手段によって、装置からコンテンツを受信するステップをさらに有することを特徴とするコンテンツ配信方法である。
【００１６】
請求項１０記載の発明は、無線端末と、その無線端末のアクセスポイントと、そのアクセスポイントとネットワークを介して接続されているコンテンツを配信する装置と、会計装置を利用したコンテンツ配信方法であって、無線端末は、ネットワークを介して装置に接続するステップと、購入要求手段によって、装置に対して選択されたコンテンツの購入要求を発行するステップとを有し、装置は、購入要求を受け付けるステップと、支払データ送信手段によって、購入要求に応じて無線端末および会計装置に対して、コンテンツの支払データを送信するステップとをさらに有し、会計装置は、支払情報受付手段によって、受信したコンテンツの支払データに基づいて、コンテンツの支払情報を受け付けるステップと、支払データ送信手段によって、支払データを装置に送信するステップとを有し、装置は、支払データ受信手段によって、支払データを受信するステップと、コンテンツ送信手段によって、無線端末にコンテンツを送信するステップとをさらに有し、無線端末は、コンテンツ受信手段によって、装置からコンテンツを受信するステップをさらに有することを特徴とするコンテンツ配信方法である。
【００１７】
請求項１１記載の発明は、無線端末と、その無線端末のアクセスポイントと、そのアクセスポイントとネットワークを介して接続されているコンテンツを配信する装置と、会計装置と、決済装置を利用したコンテンツ配信方法であって、無線端末は、ネットワークを介して装置に接続するステップと、購入要求手段によって、装置に対して選択されたコンテンツの購入要求を発行するステップとを有し、装置は、購入要求を受け付けるステップと、支払データ送信手段によって、購入要求に応じて無線端末および会計装置に対して、コンテンツの支払データを送信するステップを有し、会計装置は、支払情報受付手段によって、受信したコンテンツの支払データに基づいて、コンテンツの支払情報を受け付けるステップと、支払データ送信手段によって、支払データを決済装置に送信するステップとを有し、決済装置は、支払データ受信手段によって、支払データを受信するステップと、依頼手段によって、装置にコンテンツ配信を依頼するステップとを有し、装置は、依頼受信手段によって決済装置からコンテンツ配信依頼を受信するステップと、コンテンツ送信手段によって、無線端末にコンテンツを送信するステップとをさらに有し、無線端末は、コンテンツ受信手段によって、装置からコンテンツを受信するステップをさらに有することを特徴とするコンテンツ配信方法である。
【００１８】
請求項１２記載の発明は、請求項７から１１のいずれか１項に記載のコンテンツ配信方法において、装置は、さらに、一覧送信手段によって、提供しているコンテンツの一覧を無線端末に送信するステップを有し、無線端末は、さらに、一覧受信手段によって、一覧送信手段で送信されたコンテンツの一覧を受信するステップと、表示手段によって、受信したコンテンツの一覧を表示するステップと、選択手段によって、表示されたコンテンツの一覧から受信するコンテンツを選択するステップとを有する。
【００１９】
請求項１３記載の発明は、近傍に無線端末のアクセスポイントが設けられる会計装置であって、アクセスポイントは、ネットワークを介してコンテンツを配信する装置と接続され、無線端末において選択されたコンテンツについて発行された購入要求を送信する購入要求送信手段と、装置からコンテンツを受信するコンテンツ受信手段とを備え、購入要求に応じて装置から受信したコンテンツの支払データに基づいて、コンテンツの支払情報を受け付ける支払情報受付手段と、支払データを決済を行なう装置に送信する支払データ送信手段とを備えることを特徴とする会計装置である。
【００２０】
請求項１４記載の発明は、提供しているコンテンツの一覧をネットワークを介して接続されている無線端末のアクセスポイントを介して、コンテンツについて発行された購入要求に応じて無線端末に対して、コンテンツの支払データを送信する支払データ送信手段と、支払い手続き完了後の支払データを受信する支払データ受信手段と、アクセスポイントを経由して、無線端末にコンテンツを送信するコンテンツ送信手段とを備えることを特徴とするコンテンツ配信装置である。
【００２１】
請求項１５記載の発明は、コンテンツ配信装置が、ネットワークを介して接続されている無線端末のアクセスポイントを介して、支払データ送信手段によって、コンテンツについて発行された購入要求に応じて無線端末に対して、コンテンツの支払データを送信するステップと、支払データ受信手段によって、支払い手続き完了後の支払データを受信するステップと、コンテンツ送信手段によって、無線端末にコンテンツを送信するステップとを実行することを特徴とするプログラムである。
【発明の効果】
【００２２】
本発明のコンテンツ配信システム、その方法、会計装置、コンテンツ配信装置およびプログラムによれば、キオスク端末を用いることなく、施設運用者側のコスト負担を軽減することができる。
【発明を実施するための最良の形態】
【００２３】
次に、本発明の一実施の形態の構成について図面を参照して説明する。
【００２４】
図１を参照すると、本実施の形態におけるコンテンツ配信システムは、無線端末１０と、アクセスポイント２０と、コンテンツサーバ３０と、決済サーバ４０と、会計システム５０とから構成されている。そのうちアクセスポイント２０、コンテンツサーバ３０、決済サーバ４０、会計システム５０は、ネットワーク１００を介して接続されている。ネットワーク１００は、任意のネットワークであってよく、例えば、光ファイバ、インターネット、公衆回線、ＬＡＮ（Local Area Network）、ＡＤＳＬ（Asymmetric Digital Subscriber Line）等である。なお、通信方法は、有線であっても、無線であってもよい。
【００２５】
アクセスポイント２０、ネットワーク１００および会計システム５０は、例えば、小売店、スーパー、コンビニ、デパート、自治体、ホテル、テーマパーク、医療機関、交通施設（空港、駅、バスターミナル）等の民間・公共施設等の各種施設内に設置されるが、機器の設置場所は問わない。
【００２６】
コンテンツサーバ３０および決済サーバ４０は、例えば、プラットフォーム事業者が運営するデータセンタ等の施設内に設置されるが、機器の設置場所は問わない。
【００２７】
無線端末１０は、携帯電話、車載端末、ＰＤＡ（Personal Digital Assistant）、パーソナルコンピュータ等の無線通信機器の情報処理装置であり、無線LAN等の通信モジュールが搭載されている。
【００２８】
無線端末１０は、アクセスポイント２０との通信エリア内で利用者が無線通信の接続要求を行うと、利用者認証を行い、認証動作が完了し、無線端末１０を一意に識別することが可能となる。なお、通信エリア内に入ると自動的に無線端末１０とアクセスポイント２０が認証動作を行うことで認証を完了させるようなことがあってもよい。
【００２９】
無線端末１０は、アクセスポイント２０を経由してネットワーク１００を介してコンテンツサーバ３０に接続し、所定の表示部であるディスプレイ等の画面上に各種コンテンツを表示して、表示された各種コンテンツを閲覧・購入する機能を備えている。各種コンテンツとしては、例えば、ソフトウエア、地図データ、書籍データ、雑誌データ、新聞データ、音楽データ、映像データ、ゲームデータ、クーポン情報、求人情報、アルバイト情報、案内情報、予約データ、支払・決済データ、サービス申込みデータ等である。また、商品に関しては、製品の名称、型番、商品番号、価格等の関連情報を含む。
【００３０】
アクセスポイント２０は、無線ＬＡＮ等で端末間を接続する電波中継機である。複数の利用者が同時にアクセスすることが可能であってもよい。アクセスポイント２０は、ネットワーク１００を介して、コンテンツサーバ３０に接続することができる。なお、アクセスポイント２０内に無線端末１０の認証機能を含んでいても、その認証機能を独立した専用の認証サーバが行うことであってもよい。
【００３１】
コンテンツサーバ３０は、各種のデータ・情報、コンテンツ、アプリケーション等を含んでいる、例えば、ワークステーション等の情報処理装置である。無線端末１０が送信した購入注文情報を受信し、注文された各種コンテンツを無線端末１０に送信する機能を備えている。各種コンテンツとしては、例えば、ソフトウエア、地図データ、書籍データ、雑誌データ、新聞データ、音楽データ、映像データ、ゲームデータ、クーポン情報、求人情報、アルバイト情報、案内情報、予約データ、支払・決済データ、サービス申込みデータ等である。また、商品に関しては、製品の名称、型番、商品番号、価格等の関連情報を含む。
【００３２】
決済サーバ４０は、利用者が購入した各種コンテンツの課金、コンテンツ提供業者の集金代行等を行なう情報処理装置である。決済サーバ４０は、利用者が購入した各種コンテンツの支払データを受信し、コンテンツサーバ３０に各種コンテンツを無線端末１０に送信させる機能を備えている。
【００３３】
会計システム５０は、施設内に設置してある会計システム、利用者が購入した各種コンテンツの支払データで規定される価値の支払いが行なわれると決済情報を決済サーバ４０に転送する機能を備えている。会計システム５０は、例えば、いわゆるレジであり、利用者が購入した各種コンテンツの支払いを現金等で受け取り、利用者から受け取った現金等の支払情報を決済サーバに送信する機能を備えていてもよい。
【００３４】
次に、図２を参照して、本実施の形態における、コンテンツ配信および決済処理のフローを詳細に説明する。
【００３５】
まず、無線端末１０を携帯した利用者が、施設に入場して、無線端末１０がアクセスポイント２０との通信可能なエリア内に入ると、無線端末１０の所定の表示部である画面上にアクセスポイント２０が表示され、アクセスポイント２０に接続する（ステップＡ１）。これにより、インターネット等のネットワークを利用するのと違い、通信料金が発生することを回避することができる。ここで、複数のアクセスポイントが施設内に設置されており、複数のアクセスポイントとの通信が可能な場合には、利用者は、どのアクセスポイントに接続するか無線端末１０の画面上から選択することができてもよい。
【００３６】
なお、無線端末１０を一意に識別するための利用者認証を行い、認証動作が完了し、アクセスポイント２０は、アクセスポイント内に認証機能を含んでいる場合以外に、認証機能を専用の認証のサーバとして独立させ、無線端末１０との認証を行うことがあってもよい。
【００３７】
次に、アクセスポイント２０によって、無線端末１０は、ネットワーク１００を介してコンテンツサーバ３０に接続される（ステップＡ２）。
【００３８】
これに応答し、コンテンツサーバ３０は、提供している各種コンテンツの一覧をネットワーク１００を介して無線端末１０に送信する（ステップＡ３）。
【００３９】
無線端末１０は、コンテンツサーバ３０から各種コンテンツの一覧をネットワーク１００を介して受信する（ステップＡ４）。
【００４０】
無線端末１０は、受信した各種コンテンツの一覧を画面上に表示させる（ステップＡ５）。これにより、利用者は、各種コンテンツが画面に表示され、各種コンテンツを閲覧することができる。
【００４１】
利用者は、コンテンツを購入したい場合には、そのコンテンツを画面上で選択し、所定のボタンの押下げ等の操作によりネットワーク１００を介してコンテンツサーバ３０に対して購入要求を発行する（ステップＡ６）。
【００４２】
コンテンツサーバ３０は、購入要求にかかるコンテンツが無料コンテンツであるかまたは有料コンテンツであるかを判定する（ステップＡ７）。判定は、例えば、購入要求に含まれるコンテンツ毎に設けられるフラグが立っているか否かにより行なわれることであってもよい。
【００４３】
コンテンツサーバ３０は、購入要求にかかるコンテンツが無料コンテンツであると判定した場合には（ステップＡ７／Ｙｅｓ）、購入要求にかかるコンテンツをネットワーク１００を介して無線端末１０に送信して配信する（ステップＡ１２）。
【００４４】
コンテンツサーバ３０は、購入要求にかかるコンテンツが有料コンテンツであると判定した場合には（ステップＡ７／Ｎｏ）、無線端末１０および会計システム５０に対して、コンテンツの支払データを送信する（ステップＡ８）。ここで、コンテンツの支払データには、例えば、注文した無線端末の識別情報、注文した商品種別・数量、支払価格等のデータが含まれる。
【００４５】
会計システム５０は、ステップＡ８で受信したコンテンツの支払データに基づいて、有料コンテンツの支払情報を受け付ける（ステップＡ９）。例えば、電子マネーに利用される所定のカードまたはクレジットカード等を読み取ることにより支払情報を受け付けたり、利用者が、施設内のレジに行き、店員に現金を渡し、各種コンテンツの支払を行なうと、店員が所定のキーを押下げることにより入力した支払情報を受け付ける。また、無線端末１０を識別するためのＩＤ番号等も併せて受け付けることであってもよい。なお、無線端末１０を識別するためのＩＤ番号等は、会計システム５０または決済サーバ４０が有料コンテンツの支払情報を受け付けた後に決定することであってもよい。
【００４６】
会計システム５０は、支払データをネットワーク１００を介して、決済サーバ４０に送信する（ステップＡ１０）。
【００４７】
支払データを受信した決済サーバ４０は、支払を確認し、コンテンツサーバ３０に各種コンテンツ配信を依頼する（ステップＡ１１）。
【００４８】
コンテンツサーバ３０は、決済サーバ４０から各種コンテンツ配信依頼を受信し、ネットワーク１００を介して、各種施設内のアクセスポイント２０を経由して、無線端末１０に各種コンテンツデータを送信する（ステップＡ１２）。ここで、無線端末１０はＩＤ番号等によって識別されることであってもよい。
【００４９】
無線端末１０は、コンテンツサーバ３０から各種コンテンツを受信する（ステップＡ１３）。
【００５０】
以上のように、本実施の形態によれば、各種施設は、キオスク端末を設置せず、利用者に対して各種コンテンツを提供することができる。また、施設運用業者側にとっては、従来、キオスク端末の設置に必要であった購入費・レンタル費、導入費、設置費等のコストを削減することができる。また、施設内に多くのスペースを取るキオスク端末を設置しないため、その場所を他の利用に有効活用することができる。さらに、レジで支払を行うことが可能であるため、施設運用業者は、高額な情報・コンテンツを提供してもキオスク端末に偽造紙幣を入れられたり、荒らされたり、破壊される等のトラブルを防止することができると同時に施設・店舗のキャッシュフローを向上させることができる。
【００５１】
また、利用者側にとっては、高額なコンテンツを現金等で購入することができる。特に、利用者が未成年、高齢者や自己破産等によってクレジットカード等の電子決済を利用できない場合、その効果は顕著である。また、複数の無線端末ユーザが同時に各種コンテンツを利用することが可能であるため、従来のキオスク端末のように待ち時間が発生しない。
【００５２】
次に、本発明の他の実施の形態について図３を参照して詳細に説明する。
【００５３】
本実施の形態においては、利用者が無線端末１０を用いて各種コンテンツの購入注文をコンテンツサーバ３０に送信した後、利用者は直接、無線端末１０で決済を行ない、会計システム５０が存在しない点で上記の実施の形態とは異なる。
【００５４】
次に、図２を参照して本実施の動作について詳細に説明する。
無線端末１０が各種コンテンツの購入要求を発行し、コンテンツサーバ３０が、購入要求にかかるコンテンツが有料コンテンツであると判定した場合に、無線端末１０に対して、コンテンツの支払データを送信するまでの動作（ステップＢ１〜Ｂ８）は、基本的に上記の実施の形態と同様である。ただし、コンテンツの支払データは無線端末１０のみに送信される。
【００５５】
その後、無線端末１０は、無線端末１０が利用・契約しているプロバイダーに支払いを代行してもらうことや、クレジットカード・銀行振込等の電子決済で各種コンテンツの支払いを行なう（ステップＢ９）。
【００５６】
無線端末１０は、支払データをネットワーク１００を介して、決済サーバ４０に送信する（ステップＢ１０）。
【００５７】
これ以降の動作である、決済サーバ４０が、入金を確認し、コンテンツサーバ３０に各種コンテンツの配信を依頼し、コンテンツサーバ３０はネットワーク１００を介して、各施設内のアクセスポイント２０を経由して、利用者の無線端末１０に各種コンテンツを送信すること（ステップＢ１１〜Ｂ１３）は、上記の実施の形態の動作と同様である。
【００５８】
以上のように、本実施の形態によれば、利用者が無線端末１０で電子決済により支払いを行なうことができるので利便性が向上する。
【００５９】
また、上記のステップＢ９で、無線端末１０に、所定のボタンの押下げ等の操作によって、支払済みを証明する支払データの入力がなされてもよい。その際の、利用者による支払決済はオンラインまたはオフラインいずれで行なわれるものであってもよい。
【００６０】
なお、上述する各実施の形態は、本発明の好適な実施の形態であり、本発明の要旨を逸脱しない範囲内において種々変更実施が可能である。例えば、上記の実施の形態におけるコンテンツサーバ３０、決済サーバ４０、会計システム５０等の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【００６１】
上述する各実施の形態は、アクセスポイント２０、コンテンツサーバ３０、決済サーバ４０、会計システム５０等が別個の装置として接続されているシステム構成について説明したが、各機能が１つのコンピュータシステムとして実現されている構成や機能毎に複数のサーバ装置等が追加された構成にも適用可能であることはもちろんである。
【００６２】
また、会計システム５０が決済サーバ４０に決済を送信し、決済サーバ４０からコンテンツサーバ３０がネットワーク１００を介し、施設内のアクセスポイント２０を経由して無線端末１０に各種コンテンツを送信しなくても、施設内の店員がネットワークを介してコンテンツサーバ３０と接続されているパソコン端末等の情報処理装置を利用して直接コンテンツサーバ３０に対し、無線端末１０に各種コンテンツを送信する命令を出すこととしてもよい。
【図面の簡単な説明】
【００６３】
【図１】本発明の第一の実施形態におけるコンテンツ配信システムの概略構成を示す図である。
【図２】本発明の第一の実施形態におけるコンテンツが購入されて配信される処理動作を示すシーケンス図である。
【図３】本発明の第二の実施形態におけるコンテンツ配信システムの概略構成を示す図である。
【図４】本発明の第二の実施形態におけるコンテンツが購入されて配信される処理動作を示すシーケンス図である。
【符号の説明】
【００６４】
１０    無線端末
２０    アクセスポイント
３０    コンテンツサーバ
４０    決済サーバ
５０    会計システム
１００    ネットワーク                                                                                
【図１】
2006085353.tif 000003
【図２】
2006085353.tif 000004
【図３】
2006085353.tif 000005
【図４】
2006085353.tif 000006